(57)【要約】      （修正有）【課題】バリア領域の制御性が高いパララックスバリアパネルを提供すること。【解決手段】パララックスバリアパネル２００は、第１基板２０２と、第１基板２０２に対向する第２基板２０４と、第１基板２０２と第２基板２０４との間の液晶層２７０と、第１基板２０２と液晶層２７０との間に配置され、第１方向に延在する複数の第１電極２１０と、複数の第１電極２１０と液晶層２７０との間に配置され、第１方向に延在し、平面視において複数の第１電極２１０と交互に配置された、複数の第２電極２３０と、複数の第１電極２１０及び複数の第２電極２３０と対向する対向電極と、を有し、第２電極２３０は、第１電極２１０から絶縁され、第１方向に直交する第２方向における幅が第１電極２１０の第２方向における幅よりも小さい。【選択図】図２
2017138447.tif 000002
【特許請求の範囲】
【請求項１】
第１基板と、
前記第１基板に対向する第２基板と、
前記第１基板と前記第２基板との間の液晶層と、
前記第１基板と前記液晶層との間に配置され、第１方向に延在する複数の第１電極と、
前記複数の第１電極と前記液晶層との間に配置され、前記第１方向に延在し、平面視において前記複数の第１電極と交互に配置された、複数の第２電極と、
前記複数の第１電極及び前記複数の第２電極と対向する対向電極と、
を有し、
前記第２電極は、前記第１電極から絶縁され、前記第１方向に直交する第２方向における幅が前記第１電極の前記第２方向における幅よりも小さいことを特徴とするパララックスバリアパネル。
【請求項２】
前記複数の第１電極及び前記複数の第２電極は、それぞれ異なる電圧が供給されることを特徴とする請求項１に記載のパララックスバリアパネル。
【請求項３】
前記第２方向における前記第１電極の幅と前記第２方向における前記第２電極の幅との差は、１．５μｍ以上４．５μｍ以下であることを特徴とする請求項１又は２に記載のパララックスバリアパネル。
【請求項４】
前記第１電極及び前記第２電極は、平面視において一部が重畳することを特徴とする請求項１乃至３のいずれか一に記載のパララックスバリアパネル。
【請求項５】
前記第２方向における前記第２電極の両端部は、前記第２方向における前記第２電極の中央部に比べて前記液晶層に近いことを特徴とする請求項１乃至４のいずれか一に記載のパララックスバリアパネル。
【請求項６】
前記複数の第２電極と前記液晶層との間に配置され、前記第１方向に延在し、平面視において前記複数の第１電極及び前記複数の第２電極と交互に配置された、複数の第３電極を有し、
前記第３電極は、前記第２電極から絶縁され、前記第２方向における幅が前記第２電極の前記第２方向における幅よりも小さいことを特徴とする請求項１乃至５のいずれか一に記載のパララックスバリアパネル。
【請求項７】
第１基板と、
前記第１基板に対向する第２基板と、
前記第１基板と前記第２基板との間の液晶層と、
前記第１基板と前記液晶層との間に配置され、第１方向に延在する複数の第１電極と、
前記複数の第１電極と前記液晶層との間に配置され、前記第１方向に延在し、平面視において前記複数の第１電極と交互に配置された、複数の第２電極と、
前記複数の第１電極及び前記複数の第２電極と対向する対向電極と、
を有し、
前記第２電極は、前記第１電極から絶縁され、前記第１電極よりも小さい電圧が供給されることを特徴とするパララックスバリアパネル。
【請求項８】
前記第１電極及び前記第２電極は、平面視において一部が重畳することを特徴とする請求項７に記載のパララックスバリアパネル。
【請求項９】
前記第１方向に直交する第２方向における前記第２電極の両端部は、前記第２方向における前記第２電極の中央部に比べて前記液晶層に近いことを特徴とする請求項７又は８に記載のパララックスバリアパネル。
【請求項１０】
前記第２電極と前記液晶層との間に配置され、前記第１方向に延在し、平面視において前記複数の第１電極及び前記複数の第２電極と交互に配置された、複数の第３電極を有し、
前記第３電極は、前記第２電極から絶縁され、前記第２電極よりも小さい電圧が供給されることを特徴とする請求項７乃至９のいずれか一に記載のパララックスバリアパネル。
【請求項１１】
請求項１乃至１０のいずれか一に記載のパララックスバリアパネルを駆動する方法であり、
前記液晶層に含まれる液晶分子の長軸は、駆動電圧が印加されると前記第１基板に垂直な方向に配向し、
パララックスバリアを形成する場合に、前記複数の第１電極のうち、前記駆動電圧が印加される隣接する前記第１電極の数と、前記複数の第２電極のうち、前記駆動電圧が印加される隣接する前記第２電極の数との合計は、偶数であることを特徴とするパララックスバリアパネルの駆動方法。
【請求項１２】
前記偶数は４以上であることを特徴とする請求項１１に記載のパララックスバリアパネルの駆動方法。
【請求項１３】
請求項１乃至１０のいずれか一に記載の前記パララックスバリアパネルと、
複数の画素が配置され、前記パララックスバリアパネルに対向して配置された表示基板と、
を有することを特徴とする表示装置。
【発明の詳細な説明】
【技術分野】
【０００１】
本発明は、パララックスバリアパネル、パララックスバリアパネルの駆動方法、及びパララックスバリアパネルを用いた表示装置に関する。特に、液晶を用いたパララックスバリアパネル、パララックスバリアパネルの駆動方法、及びパララックスバリアパネルを用いた表示装置に関する。
【背景技術】
【０００２】
近年、二次元画像（２Ｄ画像）を表示する表示装置に加え、三次元画像（３Ｄ画像）を表示する表示装置の開発が進められてきている。３Ｄ画像を表示する３Ｄ表示装置は、視聴者（ユーザ）の左眼には左眼用の画像を提供し、ユーザの右眼には右眼用の画像を提供する構成を有する。左眼用の画像及び右眼用の画像には、それぞれ異なる画像が提供される。ユーザの右眼によって視認される画像とユーザの左眼によって視認される画像との間の左右方向の僅かなずれ（視差）によって、ユーザは３Ｄ画像を得ることができる。
【０００３】
ユーザに対して、上記の視差を提供する方法としては、パララックスバリア方式やレンチキュラ方式が一般的に知られている。パララックスバリア方式は、ユーザの右眼には右眼用の画像のみが視認され、ユーザの左眼には左眼用の画像のみが視認されるように、ユーザと表示装置との間にバリアを設ける方式である。パララックスバリア方式に用いられるバリアをパララックスバリアという。パララックスバリア方式では、パララックスバリアを用いて表示装置に表示された画像をユーザ右眼又は左眼にのみ視認させるため、３Ｄ画像を見るための専用眼鏡が不要である。特に、パララックスバリアに液晶を用いることで、ユーザの眼の位置に対応してバリアの位置を制御することができるため、ユーザの眼の位置を追跡し、ユーザがどの位置から見ても、ユーザに対して３Ｄ画像を提供することができるという利点を有する。さらに、パララックスバリアに液晶を用いることで、２Ｄ画像と３Ｄ画像とを容易に切り替えることができる、という利点を有する。なお、以下本明細書では、パララックスバリアを省略して、単に「バリア」という場合がある。
【０００４】
液晶を用いたパララックスバリアの場合、液晶の配向を制御するためにパララックスバリアパネル（以降、単に「バリアパネル」という場合がある）に液晶制御用の電極を設ける必要がある。ユーザの眼の位置を追跡し、バリア位置を制御するためには、複数の液晶制御用電極を互いに独立して制御する必要がある。したがって、複数の液晶制御用電極の間にスペースを設ける必要があった。
【０００５】
上記のスペースに対応する位置の液晶を制御するために、例えば特許文献１では、液晶制御用電極を２層配置し、下層の液晶制御用の第１電極（以下、第１電極）のスペースに対応する位置に上層の液晶制御用の第２電極（以下、第２電極）を配置している。
【先行技術文献】
【特許文献】
【０００６】
【特許文献１】特開２０１５−０９９２０２号公報
【発明の概要】
【発明が解決しようとする課題】
【０００７】
しかしながら、上記のように液晶制御用電極が２層配置されたバリアパネルの場合、下層の第１電極は上層の第２電極に比べて対向電極からの距離が長いため、第１電極によって生成される電界形状と第２電極によって生成される電界形状とが異なってしまう。その影響によって、第１電極によって形成されるバリア領域の形状と第２電極によって形成されるバリア領域の形状とが異なってしまう、という問題があった。
【０００８】
本発明は、上記実情に鑑み、バリア領域の制御性が高いバリアパネルを提供することを目的とする。
【課題を解決するための手段】
【０００９】
本発明の一実施形態によるパララックスバリアパネルは、第１基板と、第１基板に対向する第２基板と、第１基板と第２基板との間の液晶層と、第１基板と液晶層との間に配置され、第１方向に延在する複数の第１電極と、複数の第１電極と液晶層との間に配置され、第１方向に延在し、平面視において複数の第１電極と交互に配置された、複数の第２電極と、複数の第１電極及び複数の第２電極と対向する対向電極と、を有し、第２電極は、第１電極から絶縁され、第１方向に直交する第２方向における幅が第１電極の第２方向における幅よりも小さい。
【００１０】
本発明の一実施形態によるパララックスバリアパネルは、第１基板と、第１基板に対向する第２基板と、第１基板と第２基板との間の液晶層と、第１基板と液晶層との間に配置され、第１方向に延在する複数の第１電極と、複数の第１電極と液晶層との間に配置され、第１方向に延在し、平面視において複数の第１電極と交互に配置された、複数の第２電極と、複数の第１電極及び複数の第２電極と対向する対向電極と、を有し、第２電極は、第１電極から絶縁され、第１電極よりも小さい電圧が供給される。
【００１１】
本発明の一実施形態によるパララックスバリアパネルの駆動方法は、液晶層に含まれる液晶分子の長軸は、駆動電圧が印加されると第１基板に垂直な方向に配向し、パララックスバリア領域を形成する場合に、複数の第１電極のうち、駆動電圧が印加される隣接する第１電極の数と、複数の第２電極のうち、駆動電圧が印加される隣接する第２電極の数との合計は、偶数である。
【図面の簡単な説明】
【００１２】
【図１】本発明の一実施形態に係るバリアパネルを用いた半導体装置の概要を示す断面図である。
【図２】本発明の一実施形態に係るバリアパネルの概要を示す断面図である。
【図３】本発明の一実施形態に係るバリアパネルの第１電極の平面図である。
【図４】本発明の一実施形態に係るバリアパネルの第２電極の平面図である。
【図５】本発明の一実施形態に係るバリアパネルを用いた半導体装置の画素レイアウトを示す平面図である。
【図６Ａ】本発明の一実施形態に係るバリアパネルの動作において、ＯＦＦ状態を示す断面図である。
【図６Ｂ】本発明の一実施形態に係るバリアパネルの動作において、ＯＮ状態を示す断面図である。
【図７Ａ】本発明の一実施形態に係るバリアパネルを用いた３Ｄ画像表示の原理を説明する模式図である。
【図７Ｂ】本発明の一実施形態に係るバリアパネルを用いた３Ｄ画像表示において、ユーザの目の位置を追跡する方法の原理を説明する模式図である。
【図８】本発明の一実施形態に係るバリアパネルの第１電極及び第２電極の位置関係を示す断面図である。
【図９】本発明の一実施形態に係るバリアパネルの駆動に対するバリア特性を示す模式図である。
【図１０】本発明の一実施形態に係るバリアパネルの追跡駆動の方法と、追跡駆動時のバリア特性を示す模式図である。
【図１１】本発明の一実施形態に係るバリアパネルの第１電極の幅と第２電極の幅の差に対するバリア幅の変動値の評価結果を示す結果である。
【図１２】本発明の一実施形態に係るバリアパネルの第１電極の幅と第２電極の幅の差に対するバリア幅の変動値の評価結果を示す結果である。
【図１３Ａ】本発明の一実施形態に係るバリアパネルの駆動方法及び第１電極及び第２電極の位置関係を示す断面図である。
【図１３Ｂ】本発明の一実施形態に係るバリアパネルの追跡駆動方法及び第１電極及び第２電極の位置関係を示す断面図である。
【図１３Ｃ】本発明の一実施形態に係るバリアパネルの追跡駆動方法及び第１電極及び第２電極の位置関係を示す断面図である。
【図１４Ａ】本発明の一実施形態に係るバリアパネルの駆動方法及び第１電極及び第２電極の位置関係を示す断面図である。
【図１４Ｂ】本発明の一実施形態に係るバリアパネルの追跡駆動方法及び第１電極及び第２電極の位置関係を示す断面図である。
【図１４Ｃ】本発明の一実施形態に係るバリアパネルの追跡駆動方法及び第１電極及び第２電極の位置関係を示す断面図である。
【図１５】本発明の一実施形態に係るバリアパネルの第１電極及び第２電極の位置関係を示す断面図である。
【図１６】本発明の一実施形態に係るバリアパネルの第１電極、第２電極、及び第３電極の位置関係を示す断面図である。
【図１７】本発明の一実施形態に係るバリアパネルの第１電極、第２電極、及び第３電極の位置関係を示す断面図である。
【図１８】本発明の一実施形態に係るバリアパネルの第１電極及び第２電極の位置関係を示す断面図である。
【図１９】本発明の一実施形態に係るバリアパネルの第１電極及び第２電極の位置関係を示す断面図である。
【図２０Ａ】本発明の一実施形態に係るバリアパネルの駆動方法、及びそのときのバリア特性を示す模式図である。
【図２０Ｂ】本発明の比較例のバリアパネルの駆動方法、及びそのときのバリア特性を示す模式図である。
【図２１】本発明の一実施形態に係るバリアパネルの駆動方法、及びそのときのバリア特性を示す模式図である。
【発明を実施するための形態】
【００１３】
以下に、本発明の各実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１４】
また、説明の便宜上、上方又は下方という語句を用いて説明するが、例えば、第１部材と第２部材との上下関係が図示と逆になるように配置されてもよい。また、以下の説明で、例えば第１部材上の第２部材という表現は、上記のように第１部材と第２部材との上下関係を説明しているに過ぎず、第１部材と第２部材との間に他の部材が配置されていてもよい。また、図面においては第２部材が第１部材の下方に配置されている場合であっても、製造工程において第１部材上に第２部材が形成されるような場合は、第１部材上の第２部材と表現する場合がある。
【００１５】
〈実施形態１〉
図１を用いて、本発明の一実施形態に係るバリアパネルを用いた表示装置の概要について説明する。図１では、表示パネルとして液晶表示装置（Ｌｉｑｕｉｄ  Ｃｒｙｓｔａｌ  Ｄｉｓｐｌａｙ  Ｄｅｖｉｃｅ：ＬＣＤ）を用いた例について説明する。
【００１６】
［表示装置１０の構造］
図１は、本発明の一実施形態に係るバリアパネルを用いた表示装置の概要を示す断面図である。図１に示すように、表示装置１０は、バックライト１００、ＬＣＤ基板１１０、接着層１２０、及びバリアパネル２００を有する。ＬＣＤ基板１１０はバックライト１００上に配置されており、トランジスタアレイ基板１１２及び対向基板１１４を含む。バリアパネル２００は第１基板２０２及び第２基板２０４を含む。接着層１２０はＬＣＤ基板１１０とバリアパネル２００との間に配置されており、両者を固定する。
【００１７】
バックライト１００の光源としては、冷陰極管、ＬＥＤ、レーザ又は有機ＥＬ等を用いることができる。また、バックライト１００の照射方式はエッジライト方式であってもよく、直下型方式であってもよい。なお、光源として有機ＥＬを用いた場合、バックライト１００は直下型の面発光方式とすることができる。
【００１８】
ＬＣＤ基板１１０は、トランジスタアレイ基板１１２と対向基板１１４との間に液晶層（図示せず）を有する表示基板である。ＬＣＤ基板１１０は垂直配向型であってもよく、横電界駆動型であってもよい。トランジスタアレイ基板１１２にはトランジスタが複数配置されており、これらのトランジスタのチャネルとしては、アモルファスシリコン、ポリシリコン、単結晶シリコン、酸化物半導体、化合物半導体、有機半導体等を用いることができる。ここで、バックライト１００及びＬＣＤ基板１１０を併せて表示基板と呼んでもよい。
【００１９】
ここで、図１では、表示装置１０にバックライト１００及びＬＣＤ基板１１０を用いた構造を例示したが、この構造に限定されない。例えば、バックライト１００及びＬＣＤ基板１１０の代わりに自発光型の有機発光素子（Ｏｒｇａｎｉｃ  Ｌｉｇｈｔ−Ｅｍｉｔｔｉｎｇ  Ｄｉｏｄｅ：ＯＬＥＤ）、又は電子ペーパー等の反射型表示装置を用いることができる。
【００２０】
［バリアパネル２００の構造］
図２は、本発明の一実施形態に係るバリアパネルの概要を示す断面図である。図２に示すように、バリアパネル２００は第１基板２０２、第２基板２０４、第１電極２１０、絶縁層２２０、第２電極２３０、第１配向膜２４０、コモン電極２５０、第２配向膜２６０、及び液晶層２７０を有する。ここで、第１基板２０２と第２基板２０４とは対向している。なお、図２において、第２電極２３０と第１配向膜２４０との間に、第２電極２３０を覆う絶縁層が配置されていてもよい。
【００２１】
第１電極２１０は第１基板２０２上に複数配置されている。絶縁層２２０は第１電極２１０上に配置されており、第１電極２１０の上面及び側面を覆っている。第２電極２３０は絶縁層２２０上に複数配置されている。第１配向膜２４０は第２電極２３０上に配置されており、第２電極２３０の上面及び側面を覆っている。コモン電極２５０は第２基板２０４上において、複数の第１電極２１０及び複数の第２電極２３０に対向して配置されている。第２配向膜２６０はコモン電極２５０上に配置されている。そして、第１配向膜２４０と第２配向膜２６０との間に液晶層２７０が配置されている。詳細は後述するが、第２電極２３０の幅は第１電極２１０の幅よりも小さい。
【００２２】
上記の構造を換言すると、液晶層２７０は第１基板２０２と第２基板２０４との間に配置されているということもできる。また、複数の第１電極２１０は第１基板２０２と液晶層２７０との間に配置されているということもできる。また、複数の第２電極２３０は複数の第１電極２１０と液晶層２７０との間に配置されているということもできる。また、第１電極２１０と第２電極２３０とは絶縁層２２０によって絶縁されている、ということもできる。
【００２３】
図３は、本発明の一実施形態に係るバリアパネルの第１電極の平面図である。図３に示すように、第１電極２１０は、第１方向Ｄ１に延在している。つまり、第１電極２１０は第１方向Ｄ１に延びたパターン形状で配置されている。換言すると、第１電極２１０は第１方向Ｄ１に長手を有するパターン形状である、ということもできる。隣接する第１電極２１０の間には第１スペース２１２が設けられている。
【００２４】
図４は、本発明の一実施形態に係るバリアパネルの第２電極の平面図である。図４に示すように、第２電極２３０は、第１電極２１０と同様に第１方向Ｄ１に延在している。隣接する第２電極２３０の間には第２スペース２３２が設けられている。
【００２５】
図３及び図４を参照すると、平面視において、第１スペース２１２に対応する位置に第２電極２３０が配置されており、第２スペース２３２に対応する位置に第１電極２１０が配置されている。つまり、第１電極２１０と第２電極２３０とは、平面視において交互に配置されている。また、第２電極２３０の第２方向Ｄ２の幅は、第１電極２１０の第２方向Ｄ２の幅よりも小さい。ここで、第２方向Ｄ２は第１方向Ｄ１に直交する方向である。以降、第１電極２１０の第２方向Ｄ２の幅を単に第１電極２１０の幅といい、第２電極２３０の第２方向Ｄ２の幅を単に第２電極２３０の幅という。
【００２６】
ここで、第１電極２１０の幅と第２電極２３０の幅との差は、１．０μｍ以上６.０μｍ以下であるとよい。好ましくは、上記の差は１．０μｍ以上５．０μｍ以下であるとよい。さらに好ましくは、上記の差は２．０μｍ以上４．０μｍ以下であるとよい。
【００２７】
ここで、図３及び図４では、平面視において、第１電極２１０のパターンの端部と第２電極２３０のパターンの端部とが一致する平面レイアウトを例示したが、このレイアウトに限定されない。例えば、平面視において、第１電極２１０と第２電極２３０とが一部重畳していてもよい。又は、平面視において、第１電極２１０のパターン端部と第２電極２３０のパターン端部とが重畳せず、両者の間にオフセットが設けられていてもよい。換言すると、平面視において、第１スペース２１２と第２スペース２３２とが一部重畳していてもよい。
【００２８】
図５は、本発明の一実施形態に係るバリアパネルを用いた表示基板の画素レイアウトを示す平面図である。図５に示すレイアウトは、ＬＣＤ基板１１０の対向基板１１４に配置された赤色カラーフィルタ１１６Ｒ（サブ画素Ｒ）、緑色カラーフィルタ１１６Ｇ（サブ画素Ｇ）、青色カラーフィルタ１１６Ｂ（サブ画素Ｂ）、及び遮光部材１１８（例えば、ブラックマトリクス）のレイアウトを図示したものである。図５に示すように、サブ画素Ｒ、サブ画素Ｇ、及びサブ画素Ｂは第１方向Ｄ１に配列されて１つの画素を構成している。上記のように、第１電極２１０及び第２電極２３０の延在する方向は１画素を構成する複数のサブ画素の配列方向と一致する。このようなレイアウトによって、バリアの追跡動作の際に、１画素におけるＲＧＢの三色の遮光面積にムラが生じることを抑制することができる。
【００２９】
図５では、第２方向Ｄ２に隣接するサブ画素が同色である画素レイアウトを例示したが、この画素レイアウトに限定されない。例えば、第２方向Ｄ２に隣接するサブ画素が異色である画素レイアウトであってもよい。具体的には、サブ画素Ｒに対して第２方向Ｄ２に隣接するサブ画素がサブ画素Ｇ又はサブ画素Ｂとなるようなレイアウトであってもよい。
【００３０】
［バリアパネル２００の各部材の材質］
図１に示すバリアパネル２００に含まれる各部材（各層）の材料について詳細に説明する。
【００３１】
第１電極２１０、第２電極２３０、及びコモン電極２５０として、透明導電層を用いることができる。透明導電層としては、ＩＴＯ（酸化インジウム・スズ）、ＩＧＯ（酸化インジウム・ガリウム）、ＩＺＯ（酸化インジウム・亜鉛）、ＧＺＯ（ガリウムがドーパントとして添加された酸化亜鉛）等の導電性酸化物を用いることができる。また、これらの膜を積層した構造を用いてもよい。
【００３２】
絶縁層２２０としては、無機絶縁材料又は有機絶縁材料を用いることができる。無機絶縁材料としては、窒化シリコン（ＳｉＮｘ）、窒化酸化シリコン（ＳｉＮｘＯｙ）、酸化シリコン（ＳｉＯｘ）、酸化窒化シリコン（ＳｉＯｘＮｙ）、窒化アルミニウム（ＡｌＮｘ）、窒化酸化アルミニウム（ＡｌＮｘＯｙ）、酸化アルミニウム（ＡｌＯｘ）、酸化窒化アルミニウム（ＡｌＯｘＮｙ）、ＴＥＯＳ（Ｔｅｔｒａ  Ｅｔｈｙｌ  Ｏｒｔｈｏ  Ｓｉｌｉｃａｔｅ）層などを用いることができる（ｘ、ｙは任意）。また、これらの膜を積層した構造を用いてもよい。
【００３３】
有機絶縁材料としては、ポリイミド樹脂、アクリル樹脂、エポキシ樹脂、シリコーン樹脂、フッ素樹脂、シロキサン樹脂などを用いることができる。絶縁層２２０は、上記の材料を単層で用いてもよく、積層させてもよい。例えば、無機絶縁材料及び有機絶縁材料を積層させてもよい。
【００３４】
第１配向膜２４０及び第２配向膜２６０としては、光配向処理又はラビング処理された有機絶縁材料を用いることができる。第１配向膜２４０及び第２配向膜２６０としてポリイミド樹脂を用いることができる。ただし、ポリイミド以外にも上記の有機絶縁材料を用いることができる。また、液晶層２７０の駆動方式としては、ＴＮ（Ｔｗｉｓｔｅｄ  Ｎｅｍａｔｉｃ）方式、ＶＡ（Ｖｉｒｔｉｃａｌ  Ａｌｉｇｎｍｅｎｔ）方式、ＩＰＳ（Ｉｎ−Ｐｌａｃｅ−Ｓｗｉｔｃｈｉｎｇ）方式を用いることができるが、ＴＮ方式を用いることが好ましい。なお、以下の実施形態においては、配向処理はラビング処理、液晶の駆動方式はＴＮ方式として説明する。
【００３５】
［バリアパネル２００の動作］
図６Ａから図７Ｂを用いてバリアパネル２００の動作について説明する。図６Ａ及び図６Ｂは、本発明の一実施形態に係るバリアパネルの動作において、ＯＦＦ状態及びＯＮ状態を示す断面図である。ここでは、第１配向膜２４０及び第２配向膜２６０の配向方向が約９０度異なるツイスト配向のＴＮ方式で液晶層２７０を駆動した例を示す。
【００３６】
図６Ａでは、第１領域３００及び第２領域３１０において、第１電極２１０及び第２電極２３０とコモン電極２５０との間の電位差がないため、液晶分子２７２は第１配向膜２４０及び第２配向膜２６０の各々のラビング方向に沿って配向される。したがって、図６Ａに示すように、第１配向膜２４０付近では液晶分子２７２−１は第２方向Ｄ２に配向し、第２配向膜２６０付近では液晶分子２７２−２は第１方向Ｄ１に配向する。ここで、第１方向Ｄ１は、例えば図３に示す第１方向Ｄ１と同じ方向である。これによって、第１領域３００及び第２領域３１０において、バリアは形成されず、ＬＣＤ基板１１０で表示された全ての画素がユーザに視認される。
【００３７】
図６Ｂでは、第１領域３００の第１電極２１０及び第２電極２３０に駆動電圧が供給され、第１電極２１０及び第２電極２３０とコモン電極２５０との間に電位差が生じる。第１領域３００の液晶分子２７４は、この電位差によって生じる電界にしたがって配向される。図６Ｂでは、第１領域３００の液晶分子２７４は第３方向Ｄ３に配向されている。ここで、第３方向Ｄ３は、第１方向Ｄ１及び第２方向Ｄ２に直交する方向であり、例えば第１基板２０２の板さ方向に相当する。つまり、第１領域３００の液晶分子２７４の長軸は、駆動電圧の供給によって第１基板２０２及び第２基板２０４に垂直な方向に配向される。一方、第２領域３１０の第１電極２１０及び第２電極２３０とコモン電極２５０との間には電位差がないため、液晶分子２７６は第１配向膜２４０及び第２配向膜２６０の各々のラビング方向に沿って配向される。したがって、図６Ｂに示すように、第１配向膜２４０付近では液晶分子２７６−１は第２方向Ｄ２に配向し、第２配向膜２６０付近では液晶分子２７６−２は第１方向Ｄ１に配向する。上記のように、第１領域３００にはバリアが形成されるため、ＬＣＤ基板１１０で表示された画像のうち第２領域３１０に対応する領域の画像のみがユーザに視認される。
【００３８】
図７Ａは、本発明の一実施形態に係るバリアパネルを用いた３Ｄ画像表示の原理を説明する模式図である。図７Ａに示すように、ユーザの右眼３２０Ｒ及び左眼３２０Ｌと表示基板３３０との間にバリアパネル３４０が配置される。表示基板３３０には右眼用の画像「Ｒ」と左眼用の画像「Ｌ」とが交互に表示されている。バリアパネル３４０には遮光領域３４２と透光領域３４４とが設けられており、右眼３２０Ｒには画像「Ｒ」のみが視認され、左眼３２０Ｌには画像「Ｌ」のみが視認されるように、遮光領域３４２及び透光領域３４４の位置が制御される。
【００３９】
図７Ｂは、本発明の一実施形態に係るバリアパネルを用いた３Ｄ画像表示において、ユーザの目の位置を追跡する方法の原理を説明する模式図である。図７Ｂに示すように、ユーザが移動する（右眼３２０Ｒ及び左眼３２０Ｌが移動する）と、ユーザの眼の位置を検出してバリアパネル３４０の遮光領域３４２及び透光領域３４４が移動する。このようにして、ユーザの位置が移動した後も右眼３２０Ｒには画像「Ｒ」のみが視認され、左眼３２０Ｌには画像「Ｌ」のみが視認されるように、遮光領域３４２及び透光領域３４４の位置が制御される。
【００４０】
上記の遮光領域３４２及び透光領域３４４の位置制御は、図６Ａ及び図６Ｂにしめす第１電極２１０及び第２電極２３０を制御することで実現することができる。図６Ｂを用いて具体的に説明すると、遮光領域となっている第１領域３００を右方向に移動させるためには、平面視において、第１領域３００において最も右側の第１電極２１０に隣接する第２電極２３０−１（第２領域３１０において最も左側の第２電極２３０）に駆動電圧を供給し、第１領域３００において最も左側の第２電極２３０−２への駆動電圧の供給を停止する。これによって、第２電極２３０の幅の分だけバリアが右方向に移動する。
【００４１】
ここで、ユーザの目の位置を検出する方法としては、表示装置に備えられたカメラによって撮影された画像を解析する方法を用いることができる。この方法では、カメラによって撮影された画像に基づき、ユーザの顔認識を行い、ユーザの目の位置情報を取得する。
【００４２】
［バリアパネル２００の制御性評価］
図８は、本発明の一実施形態に係るバリアパネルの評価における第１電極及び第２電極の位置関係を示す断面図である。図８では、第１電極２１０、絶縁層２２０、第２電極２３０、及び第１配向膜２４０を厚さ方向に拡大して表示し、液晶層２７０を厚さ方向に縮小して表示した。
【００４３】
図８に示す「ａ」〜「ｆ」はそれぞれ以下の通りである。
「ａ」：第１電極２１０の幅
「ｂ」：第２電極２３０の幅
「ｃ」：絶縁層２２０の膜厚
「ｄ」：第２電極２３０から液晶層２７０までの距離
「ｅ」：第１電極２１０の膜厚
「ｆ」：第２電極２３０の膜厚
【００４４】
図９は、本発明の一実施形態に係るバリアパネルの駆動に対するバリア特性を示す模式図である。図９では、説明の便宜上、バリアパネル２００のうち第１基板２０２、第１電極２１０、絶縁層２２０、第２電極２３０、及び第１配向膜２４０のみを示した。図９に示すように、第１領域３５０の第１電極２１０及び第２電極２３０には駆動電圧を供給して遮光領域を形成し、第２領域３６０の第１電極２１０及び第２電極２３０には駆動電圧を供給しないで透光領域を形成する。スペクトル３７０は、上記の状態における第１基板２０２の第２方向Ｄ２の位置とバリアパネル２００の可視光の透過率との関係を表す。スペクトル３７０をバリア特性という。
【００４５】
スペクトル３７０に示すように、遮光領域である第１領域３５０の位置に対応して透過率が低下している。以下の実施形態においては、スペクトル３７０における遮光領域（バリア領域３７２）は、スペクトル３７０の透過率が最大値の５．０％以下の領域を遮光領域として説明する。
【００４６】
図１０は、本発明の一実施形態に係るバリアパネルの追跡駆動の方法と、追跡駆動時のバリア特性を示す模式図である。図１０では、図９から第２方向Ｄ２の逆方向（左方向）にバリア位置を移動した状態を示す。図１０は、図９に対して第１領域３５０Ａの左端が第２電極２３０の幅の分だけ左方向に移動し、第１領域３５０Ａの右端が第１電極２１０の幅の分だけ左方向に移動している。上記の第１領域３５０Ａの左方向の移動に伴い、バリア領域３７２Ａは左方向に移動する。
【００４７】
図９のバリア領域３７２の端部の位置は、第１領域３５０の両端部に配置された第１電極２１０−１、２１０−２によって生成された電界によって決定される。一方、図１０のバリア領域３７２Ａの端部の位置は、第１領域３５０Ａの両端部に配置された第２電極２３０−３、２３０−４によって生成された電界によって決定される。ここで、図９と図１０とを比較すると、第１電極２１０とコモン電極２５０との距離は第２電極２３０とコモン電極２５０との距離に比べて大きい。その影響で、第１電極２１０の端部及びバリア領域３７２の端部の位置関係と、第２電極２３０の端部及びバリア領域３７２の端部の位置関係とが異なる。
【００４８】
上記の結果、図９に示すように、バリア領域３７２の端部は第１領域３５０の端部に配置された第１電極２１０−１、２１０−２のパターン端よりも第１領域３５０の内側に位置する。一方、図１０に示すように、バリア領域３７２Ａの端部は第１領域３５０Ａの端部に配置された第２電極２３０−３、２３０−４のパターン端とほぼ同じである。つまり、図９の状態から図１０の状態にバリア領域３７２を移動させると、第２方向Ｄ２におけるバリア領域３７２の幅が変化する。この変化の量をバリア幅の変動値として定義する。
【００４９】
図１１は、本発明の一実施形態に係るバリアパネルの第１電極の幅と第２電極の幅の差に対するバリア幅の変動値の評価結果を示す結果である。図１１に示すグラフの横軸は第１電極２１０の幅から第２電極２３０の幅を引いた値（図１１では、「上下電極幅の差」と記載した）である。換言すると、図１１のグラフの横軸は、図８のパラメータを用いて「ａ−ｂ」で表現することができる。また、図１１に示すグラフの縦軸は上記で説明したバリア幅の変動値である。図１１に示す評価結果は、図８に示すａ〜ｆのパラメータが表１に示す値を有するサンプルに対してバリア幅の変動値を評価した結果である。なお、表１に示すように、図１１の評価に用いたサンプルはラビング方向が第１基板２０２及び第２基板２０４の辺に対して４５度（又は１３５度）である。
【００５０】
【表１】
2017138447.tif 000003
【００５１】
図１１に示すように、第１電極２１０の幅「ａ」と第２電極２３０の幅「ｂ」とが同じ「サンプル１」の場合、バリア幅の変動値は−２μｍである。これに対して、上下電極幅の差（「ａ」−「ｂ」）が３．０μｍである「サンプル２」の場合、バリア幅の変動値はゼロである。一方、上下電極幅の差（「ａ」−「ｂ」）が−３．０μｍである「サンプル３」の場合、バリア幅の変動値は−６μｍである。つまり、第２電極２３０の幅を第１電極２１０の幅よりも小さい値に設計することで、バリア幅の変動値を小さくすることができる。特に、図１１の結果では、上下電極幅の差を３．０μｍとすることで、バリア幅の変動値をゼロに近づけることができることが判る。
【００５２】
図１２は、本発明の一実施形態に係るバリアパネルの第１電極の幅と第２電極の幅の差に対するバリア幅の変動値の評価結果を示す結果である。図１２に示すグラフの横軸及び縦軸は図１１に示すグラフの横軸及び縦軸と同様である。図１２に示す評価結果は、図８に示すａ〜ｆのパラメータが表２に示す値を有するサンプルに対してバリア幅の変動値を評価した結果である。なお、表２に示すように、図１２の評価に用いたサンプルはラビング方向が第１基板２０２及び第２基板２０４の辺に対して０度（又は９０度）である。
【００５３】
【表２】
2017138447.tif 000004
【００５４】
図１２に示すように、第１電極２１０の幅「ａ」と第２電極２３０の幅「ｂ」とが同じ「サンプル４」の場合、バリア幅の変動値は−３μｍである。これに対して、上下電極幅の差（「ａ」−「ｂ」）が３．０μｍである「サンプル５」の場合、バリア幅の変動値はゼロである。一方、上下電極幅の差（「ａ」−「ｂ」）が−３．０μｍである「サンプル３」の場合、バリア幅の変動値は−５μｍである。つまり、第２電極２３０の幅を第１電極２１０の幅よりも小さい値に設計することで、バリア幅の変動値を小さくすることができる。特に、図１２の結果では、上下電極幅の差を３．０μｍとすることで、バリア幅の変動値をゼロに近づけることができることが判る。
【００５５】
図１１及び図１２では、上下電極幅の差が３．０μｍのときにバリア幅の変動値がゼロになる評価結果を示した。ただし、上記の結果は本発明の効果を得るための条件を限定するものではなく、本発明の効果を得るためには、少なくとも第２電極２３０の幅を第１電極２１０の幅よりも小さい値にすればよい。なお、第１電極２１０の幅と第２電極２３０の幅との差は、１．０μｍ以上６.０μｍ以下であるとよい。上記の差は１．０μｍ以上５．０μｍ以下であるとよい。さらに好ましくは、上記の差は２．０μｍ以上４．０μｍ以下であるとよい。
【００５６】
以上のように、実施形態１に係るバリアパネルによると、第２電極２３０の幅を第１電極２１０の幅よりも小さい値にすることで、バリアが移動したときのバリア幅の変動値を抑制することができる。つまり、バリア領域の制御性が高いバリアパネルを提供することができる。なお、第１電極２１０の幅と第２電極２３０の幅との差を１．５μｍ以上５．０μｍ以下とすることで、バリア幅の変動値をさらに抑制することができる。
【００５７】
〈実施形態２〉
図１３Ａ乃至図１４Ｃを用いて、本発明の一実施形態に係るバリアパネルの駆動方法について説明する。図１３Ａ乃至図１３Ｃでは、バリアを形成するために駆動させる第１電極２１０及び第２電極２３０の合計が奇数の場合を示す。図１４Ａ乃至図１４Ｃでは、バリアを形成するために駆動させる第１電極２１０及び第２電極２３０の合計が偶数の場合を示す。
【００５８】
図１３Ａは、本発明の一実施形態に係るバリアパネルの駆動方法及び第１電極及び第２電極の位置関係を示す断面図である。図１３Ａでは、第１電極２１０−４及び第２電極２３０−４、２３０−５に駆動電圧を供給することで、幅が「ａ＋２ｂ」の電極に対応するバリアが形成されている。ここで、図８の定義と同様に第１電極２１０の幅を「ａ」とし、第２電極２３０の幅を「ｂ」とした。
【００５９】
図１３Ｂ及び図１３Ｃは、本発明の一実施形態に係るバリアパネルの追跡駆動方法及び第１電極及び第２電極の位置関係を示す断面図である。図１３Ｂは図１３Ａの状態から左方向にバリアを移動させた状態を示す。バリアの移動は、第１電極２１０−３に新たに駆動電圧を供給し、第２電極２３０−５に供給されていた駆動電圧を停止することで行われる。つまり、図１３Ａから図１３Ｂへの移動は、バリアが左方向に第１電極２１０−３の幅「ａ」に対応して広がり、第２電極２３０−５の幅「ｂ」に対応して狭くなる。この移動によってバリアを形成する電極幅は「ａ＋２ｂ」から「２ａ＋ｂ」になる。
【００６０】
また、図１３Ｃは図１３Ａの状態から右方向にバリアを移動させた状態を示す。バリアの移動は、第１電極２１０−５に新たに駆動電圧を供給し、第２電極２３０−４に供給されていた駆動電圧を停止することで行われる。つまり、図１３Ａから図１３Ｃへの移動は、バリアが右方向に第１電極２１０−５の幅「ａ」に対応して広がり、第２電極２３０−４の幅「ｂ」に対応して狭くなる。この移動によってバリアを形成する電極幅は「ａ＋２ｂ」から「２ａ＋ｂ」になる。
【００６１】
図１３Ａ乃至図１３Ｃに示すように、バリアを形成するために駆動させる第１電極２１０及び第２電極２３０の合計を奇数とすることで、ある基準の状態（例えば、図１３Ａに示す状態）からバリアを左に移動させたときの移動量と右に移動させたときの移動量を同じにすることができる。
【００６２】
図１４Ａは、本発明の一実施形態に係るバリアパネルの駆動方法及び第１電極及び第２電極の位置関係を示す断面図である。図１４Ａでは、第１電極２１０−３、２１０−４及び第２電極２３０−４、２３０−５に駆動電圧を供給することで、幅が「２ａ＋２ｂ」のバリアが形成されている。つまり、図１４Ａでは、複数の第１電極２１０のうち駆動電圧が印加される第１電極２１０の数と、複数の第２電極２３０のうち駆動電圧が印加される第２電極２３０の数との合計は偶数である。ここで、図８の定義と同様に第１電極２１０の幅を「ａ」とし、第２電極２３０の幅を「ｂ」とした。
【００６３】
図１４Ｂ及び図１４Ｃは、本発明の一実施形態に係るバリアパネルの追跡駆動方法及び第１電極及び第２電極の位置関係を示す断面図である。図１４Ｂは図１４Ａの状態から左方向にバリアを移動させた状態を示す。バリアの移動は、第２電極２３０−３に新たに駆動電圧を供給し、第２電極２３０−５に供給されていた駆動電圧を停止することで行われる。つまり、図１４Ａから図１４Ｂへの移動は、バリアが左方向に第２電極２３０−３の幅「ｂ」に対応して広がり、第２電極２３０−５の幅「ｂ」に対応して狭くなる。この移動の前後でバリア幅は「２ａ＋２ｂ」のまま維持される。
【００６４】
また、図１４Ｃは図１４Ａの状態から右方向にバリアを移動させた状態を示す。バリアの移動は、第１電極２１０−５に新たに駆動電圧を供給し、第１電極２１０−３に供給されていた駆動電圧を停止することで行われる。つまり、図１４Ａから図１４Ｃへの移動は、バリアが右方向に第１電極２１０−５の幅「ａ」に対応して広がり、第１電極２１０−３の幅「ｂ」に対応して狭くなる。この移動の前後でバリア幅は「２ａ＋２ｂ」のまま維持される。
【００６５】
図１４Ａ乃至図１４Ｃに示すように、バリアを形成するために駆動させる第１電極２１０及び第２電極２３０の合計を偶数とすることで、バリアの移動に伴うバリア幅の変化を抑制することができる。図１４Ａ乃至図１４Ｃでは、駆動電圧が供給される第１電極２１０及び第２電極２３０の合計が４つである例を示したが、この例に限定されず、４つ以上の偶数であってもよい。
【００６６】
以上のように、実施形態２に係るバリアパネルによると、駆動電圧を供給する第１電極２１０及び第２電極２３０の合計の数を制御することによって、バリアの移動に伴う移動量又はバリア幅の変化を抑制することができる。
【００６７】
〈実施形態３〉
図１５を用いて、本発明の実施形態４に係るバリアパネル２００Ｂの構成について説明する。図１５は、本発明の一実施形態に係るバリアパネルの第１電極及び第２電極の位置関係を示す断面図である。図１５に示すバリアパネル２００Ｂは、図２又は図８に示すバリアパネル２００と類似しているが、第１電極２１０Ｂと第２電極２３０Ｂとが一部重畳している点において、バリアパネル２００とは相違する。
【００６８】
図１５に示すように、第１電極２１０Ｂの幅は「ａ’」であり、第２電極２３０Ｂの幅は「ｂ’」である。第１電極２１０Ｂの端部と第２電極２３０Ｂの端部とが重畳する幅は「ｇ」である。ここで、図１５の断面図を上面方向から見た場合、つまり平面視において、第１電極２１０Ｂと第２電極２３０Ｂとは互いに重畳している。
【００６９】
以上のように、実施形態３に係るバリアパネルによると、第１電極２１０Ｂと第２電極２３０Ｂとが平面視において一部重畳している。これによって、液晶に対する電界が弱まりやすい、第１電極２１０Ｂの端部及び第２電極２３０Ｂの境界付近の電界安定性を高めることが出来る。言い換えれば、液晶の制御性が向上し、バリアの安定性を向上させることができる。
【００７０】
〈実施形態４〉
図１６を用いて、本発明の実施形態４に係るバリアパネル４００の構成について説明する。図１６は、本発明の一実施形態に係るバリアパネルの第１電極、第２電極、及び液晶制御用の第３電極（以下、第３電極）の位置関係を示す断面図である。図１６に示すバリアパネル４００は、図２又は図８に示すバリアパネル２００と類似しているが、第１電極４１０及び第２電極４３０に加え第３電極４５０を有する点において、バリアパネル２００とは相違する。
【００７１】
［バリアパネル４００の構造］
図１６に示すように、バリアパネル４００は第１基板４０２、第２基板４０４、第１電極４１０、第１絶縁層４２０、第２電極４３０、第２絶縁層４４０、第３電極４５０、第１配向膜４６０、コモン電極４７０、第２配向膜４８０、及び液晶層４９０を有する。ここで、第１基板４０２と第２基板４０４とは対向している。
【００７２】
第１電極４１０は第１基板４０２上に複数配置されている。第１絶縁層４２０は第１電極４１０上に配置されており、第１電極４１０の上面及び側面を覆っている。第２電極４３０は第１絶縁層４２０上に複数配置されている。第２絶縁層４４０は第２電極４３０上に配置されており、第２電極４３０の上面及び側面を覆っている。第３電極４５０は第２絶縁層４４０上に複数配置されている。第１配向膜４６０は第３電極４５０上に配置されており、第３電極４５０の上面及び側面を覆っている。第１電極４１０、第２電極４３０、及び第３電極４５０はそれぞれ第１方向Ｄ１に延在している。ここで、第１方向Ｄ１は、例えば図３及び図６Ａに示す第１方向Ｄ１と同じ方向である。ここで、図１６の断面図を上面方向から見た場合、つまり平面視において、第３電極４５０は第１電極４１０及び第２電極４３０と交互に配置されている。
【００７３】
コモン電極４７０は第２基板４０４上において、複数の第１電極４１０、複数の第２電極４３０、及び複数の第３電極４５０に対向して配置されている。第２配向膜４８０はコモン電極４７０上に配置されている。そして、第１配向膜４６０と第２配向膜４８０との間に液晶層４９０が配置されている。
【００７４】
ここで、第２電極４３０の第２方向Ｄ２の幅は第１電極４１０の第２方向Ｄ２の幅よりも小さい。また、第３電極４５０の第２方向Ｄ２の幅は第２電極４３０の第２方向Ｄ２の幅よりも小さい。以降、第１電極４１０の第２方向Ｄ２の幅を単に第１電極４１０の幅といい、第２電極４３０の第２方向Ｄ２の幅を単に第２電極４３０の幅といい、第３電極４５０の第２方向Ｄ２の幅を単に第３電極４５０の幅という。
【００７５】
上記の構造を換言すると、液晶層４９０は第１基板４０２と第２基板４０４との間に配置されるということもできる。また、複数の第１電極４１０は第１基板４０２と液晶層４９０との間に配置されるということもできる。また、複数の第２電極４３０は複数の第１電極４１０と液晶層４９０との間に配置されるということもできる。また、複数の第３電極４５０は複数の第２電極４３０と液晶層４９０との間に配置されるということもできる。さらに、第１電極４１０と第２電極４３０とは第１絶縁層４２０によって絶縁されるということもできる。また、第２電極４３０と第３電極４５０とは第２絶縁層４４０によって絶縁されるということもできる。
【００７６】
以上のように、実施形態４に係るバリアパネル４００によると、実施形態１と同様の効果を得ることができ、さらに隣接する第１電極４１０の間隔、隣接する第２電極４３０の間隔、及び隣接する第３電極４５０の間隔をそれぞれ広くすることができる。これによって、第１電極４１０、第２電極４３０、及び第３電極４５０がさらに微細化された場合であっても、隣接する電極間のショートを抑制することができる。
【００７７】
〈実施形態４の変形例〉
図１７は、本発明の一実施形態の変形例に係るバリアパネルの第１電極、第２電極、及び第３電極の位置関係を示す断面図である。図１７に示すバリアパネル４００Ａは図１６に示すバリアパネル４００と類似しているが、バリアパネル４００Ａは、平面視において第３電極４５０Ａの両側に第２電極４３０Ａが配置されている点において、バリアパネル４００とは相違する。
【００７８】
図１７に示すように、図１７の断面図を上面方向から見た場合、つまり平面視において、第１電極４１０Ａ−１、第２電極４３０Ａ−１、第３電極４５０Ａ−１、第２電極４３０Ａ−２、及び第１電極４１０Ａ−２の順で第２方向Ｄ２に配置されている。換言すると、平面視において、第３電極４５０Ａの両側に第２電極４３０Ａが配置されている。また、平面視において、第２電極４３０Ａの一方側には第１電極４１０Ａが配置され、他方側には第３電極４５０Ａが配置されている。また、平面視において、第１電極４１０Ａの両側に第２電極４３０Ａが配置されている。ここで、図１７の構造を、第３電極４５０Ａは平面視において第１電極４１０Ａ及び第２電極４３０Ａと交互に配置されている、ということもできる。
【００７９】
以上のように、実施形態４の変形例に係るバリアパネル４００Ａによると、実施形態４と同様の効果を得ることができ、さらに隣接する液晶制御用電極の各々とコモン電極との距離の差（つまり、図１７における隣接する液晶制御用電極の段差）を緩和することができる。その結果、隣接する液晶制御用電極の境界付近に対応する位置の液晶層の配向乱れを抑制することができる。
【００８０】
〈実施形態５〉
図１８を用いて、本発明の実施形態５に係るバリアパネル５００の構成について説明する。図１８は、本発明の一実施形態に係るバリアパネルの第１電極及び第２電極の位置関係を示す断面図である。図１８に示すバリアパネル５００は、図２又は図８に示すバリアパネル２００と類似しているが、絶縁層５２０及び第２電極５３０の断面形状においてバリアパネル２００とは相違する。
【００８１】
［バリアパネル５００の構造］
図１８に示すように、バリアパネル５００において、絶縁層５２０は下層の第１電極５１０の段差を反映した形状を有している。つまり、第１電極５１０が配置された領域の絶縁層５２０は、第１電極５１０が配置されていない領域の絶縁層５２０に比べて第２基板５０４方向に突出している。換言すると、第１電極５１０が配置されていない領域の絶縁層５２０には凹部が設けられている。
【００８２】
また、第２方向Ｄ２における第２電極５３０の両端部５３４は、第２方向Ｄ２における中央部５３２に比べて液晶層に近くなっている。換言すると、両端部５３４は中央部５３２に比べて液晶層に近くなっている。また、換言すると、上方に突出した絶縁層５２０上には両端部５３４が配置されており、絶縁層５２０の凹部には中央部５３２が配置されている。
【００８３】
以上のように、実施形態５に係るバリアパネル５００によると、実施形態１と同様の効果を得ることができ、さらに第２電極５３０の両端部５３４とコモン電極５５０との距離が中央部５３２とコモン電極５５０との距離に比べて短くなるため、第２電極５３０の第２方向Ｄ２の端部における液晶層５７０の制御性をより高めることができる。その結果、第２電極５３０の幅「ｂ」を小さくすることができ、隣接する第２電極５３０間の距離を大きくすることができる。
【００８４】
〈実施形態５の変形例〉
図１９を用いて、本発明の実施形態５の変形例に係るバリアパネル５００Ａの構成について説明する。図１９は、本発明の一実施形態に係るバリアパネルの第１電極及び第２電極の位置関係を示す断面図である。図１９に示すバリアパネル５００Ａは、図１８に示すバリアパネル５００と類似しているが、第１電極５１０Ａと第２電極５３０Ａとが一部重畳している点において、バリアパネル５００とは相違する。
【００８５】
図１９に示すように、第１電極５１０Ａの幅は「ａ’’」であり、第２電極５３０Ａの幅は「ｂ’’」である。第１電極５１０Ａの端部と第２電極５３０Ａの端部とが重畳する幅は「ｈ」である。ここで、図１９の断面図を上面方向から見た場合、つまり平面視において、第１電極５１０Ａと第２電極５３０Ａとは互いに重畳している。
【００８６】
以上のように、実施形態５の変形例に係るバリアパネル５００Ａによると、第１電極５１０Ａと第２電極５３０Ａとが平面視において一部重畳していることで、特に第１電極５１０Ａの端部及び第２電極５３０Ａの境界付近に対応する位置の液晶の制御性を向上させることができる。
【００８７】
〈実施形態６〉
図２０Ａを用いて、本発明の実施形態６に係るバリアパネル６００の構成について説明する。図２０Ａは、本発明の一実施形態に係るバリアパネルの駆動方法、及びそのときのバリア特性を示す模式図である。図２０Ａでは、説明の便宜上、バリアパネル６００のうち第１基板６０２、第１電極６１０、絶縁層６２０、第２電極６３０、及び第１配向膜６４０のみを示した。ただし、バリアパネル６００は、図２又は図８に示すバリアパネル２００と同様に、第２基板、コモン電極、及び液晶層を有する。
【００８８】
図２０Ａに示すバリアパネル６００は、図２又は図８に示すバリアパネル２００と類似しているが、第２方向Ｄ２における第１電極６１０の幅及び第２電極６３０の幅が同じである点においてバリアパネル２００とは相違する。図２０Ａに示す第１基板６０２、第１電極６１０、絶縁層６２０、第２電極６３０、及び第１配向膜６４０は、それぞれ図２又は図８に示す第１基板２０２、第１電極２１０、絶縁層２２０、第２電極２３０、及び第１配向膜２４０に相当する。
【００８９】
図２０Ａに示すように、第１領域６５０の第１電極６１０には第１駆動電圧（７Ｖ）を供給し、第２電極６３０には第２駆動電圧（５Ｖ）を供給することで遮光領域（バリア領域６７２）を形成し、第２領域６６０の第１電極６１０及び第２電極６３０には駆動電圧を供給しないで透光領域を形成する。つまり、第２電極６３０には第１電極６１０よりも小さい駆動電圧が供給される。スペクトル６７０は上記の状態におけるバリア特性であり、第１基板６０２の第２方向Ｄ２の位置とバリアパネル６００の透過率との関係を表す。
【００９０】
一方、図２０Ａに示すバリアパネル６００の比較例として、図２０Ｂにバリアパネル９００を示した。図２０Ｂは、本発明の比較例のバリアパネルの駆動方法、及びそのときのバリア特性を示す模式図である。図２０Ｂのバリアパネル９００の構造は図２０Ａのバリアパネル６００と同様であるので、ここでは説明を省略する。
【００９１】
図２０Ｂに示すように、第１領域９５０の第１電極９１０及び第２電極９３０には同一の駆動電圧（５Ｖ）を供給することで遮光領域（バリア領域９７２）を形成している。スペクトル９７０は上記の状態におけるバリア特性であり、第１基板９０２の第２方向Ｄ２の位置とバリアパネル９００の透過率との関係を表す。
【００９２】
図２０Ａと図２０Ｂとを比較すると、図２０Ａのスペクトル６７０は図２０Ｂのスペクトル９７０に比べて第２方向Ｄ２におけるバリア領域６７２端部のスペクトル形状が急峻である。つまり、図２０Ａに示すように、第１電極６１０に第２電極６３０よりも高い駆動電圧を供給することで、第２方向Ｄ２におけるバリア領域６７２の端部に対応する位置の液晶乱れを抑制することができる。
【００９３】
以上のように、実施形態６に係るバリアパネルによると、第２電極６３０に第１電極６１０よりも小さい駆動電圧を供給することで、バリア領域の制御性を向上させることができる。
【００９４】
〈実施形態６の変形例〉
上記の実施形態６のように、複数の層によって構成された液晶制御用電極において、下層の液晶制御用電極ほど高い駆動電圧が供給されるバリアパネルは、上記の実施形態２乃至実施形態５に示したバリアパネルに適用することができる。例えば、実施形態６に示したバリアパネル６００を実施形態４に示したバリアパネル４００に適用した例を図２１に示す。
【００９５】
図２１は、本発明の一実施形態に係るバリアパネルの駆動方法、及びそのときのバリア特性を示す模式図である。図２１に示すバリアパネル７００は、図１６に示すバリアパネル４００と類似しているが、第２方向Ｄ２における第１電極７１０の幅、第２電極７３０の幅、及び第３電極７５０の幅が同じである点においてバリアパネル４００とは相違する。図２１に示す第１基板７０２、第２基板７０４、第１電極７１０、第１絶縁層７２０、第２電極７３０、第２絶縁層７４０、第３電極７５０、第１配向膜７６０、コモン電極７７０、第２配向膜７８０、及び液晶層７９０は、それぞれ図１６に示す第１基板４０２、第２基板４０４、第１電極４１０、第１絶縁層４２０、第２電極４３０、第２絶縁層４４０、第３電極４５０、第１配向膜４６０、コモン電極４７０、第２配向膜４８０、及び液晶層４９０に相当する。なお、図２１では、全ての液晶制御用電極に駆動電圧が供給された状態を示した。
【００９６】
図２１に示すように、第１電極７１０には第１駆動電圧（９Ｖ）を供給し、第２電極７３０には第２駆動電圧（７Ｖ）を供給し、第３電極７５０には第３駆動電圧（５Ｖ）を供給することで、遮光領域が形成される。このようにすることで、バリアパネル７００は、図２０Ａに示すバリアパネル６００と同様にバリア領域の制御性を向上させることができる。
【００９７】
なお、本発明は上記の実施形態に限られたものではなく、趣旨を逸脱しない範囲で適宜変更することが可能である。
【符号の説明】
【００９８】
１０：表示装置、    １００：バックライト、    １１０：ＬＣＤ基板、    １１２：トランジスタアレイ基板、    １１４：対向基板、    １１６Ｂ：青色カラーフィルタ、    １１６Ｇ：緑色カラーフィルタ、    １１６Ｒ：赤色カラーフィルタ、    １１８：遮光部材、    １２０：接着層、    ２００、３４０、４００、５００、６００、７００、９００：パララックスバリアパネル、    ２０２、４０２、５０２、６０２、７０２、９０２：第１基板、    ２０４、４０４、５０４、６０４、７０４、９０４：第２基板、    ２１０、４１０、５１０、６１０、７１０、９１０：第１電極、    ２１２：第１スペース、    ２２０、５２０、６２０：絶縁層、    ２３０、４３０、５３０、６３０、７３０、９３０：第２電極、    ２３２：第２スペース、    ２４０、４６０、６４０、７６０：第１配向膜、    ２５０、４７０、５５０、７７０：コモン電極、    ２６０、４８０、７８０：第２配向膜、    ２７０、４９０、５７０、７９０：液晶層、    ２７２、２７４、２７６：液晶分子、    ３００、３５０、６５０、９５０：第１領域、    ３１０、３６０、６６０：第２領域、    ３２０Ｌ：左眼、    ３２０Ｒ：右眼、    ３３０：表示基板、    ３４２：遮光領域、    ３４４：透光領域、    ３７０、６７０、９７０：スペクトル、    ３７２、６７２、９７２：バリア領域、    ４２０、７２０：第１絶縁層、    ４４０、７４０：第２絶縁層、    ４５０、７５０：第３電極、    ５３２：中央部、    ５３４：両端部
【図１】
2017138447.tif 000005
【図２】
2017138447.tif 000006
【図３】
2017138447.tif 000007
【図４】
2017138447.tif 000008
【図５】
2017138447.tif 000009
【図６Ａ】
2017138447.tif 000010
【図６Ｂ】
2017138447.tif 000011
【図７Ａ】
2017138447.tif 000012
【図７Ｂ】
2017138447.tif 000013
【図８】
2017138447.tif 000014
【図９】
2017138447.tif 000015
【図１０】
2017138447.tif 000016
【図１１】
2017138447.tif 000017
【図１２】
2017138447.tif 000018
【図１３Ａ】
2017138447.tif 000019
【図１３Ｂ】
2017138447.tif 000020
【図１３Ｃ】
2017138447.tif 000021
【図１４Ａ】
2017138447.tif 000022
【図１４Ｂ】
2017138447.tif 000023
【図１４Ｃ】
2017138447.tif 000024
【図１５】
2017138447.tif 000025
【図１６】
2017138447.tif 000026
【図１７】
2017138447.tif 000027
【図１８】
2017138447.tif 000028
【図１９】
2017138447.tif 000029
【図２０Ａ】
2017138447.tif 000030
【図２０Ｂ】
2017138447.tif 000031
【図２１】
2017138447.tif 000032